(57)【要約】【課題】音楽鑑賞や、ホームシアターなどの映像鑑賞、ホテルのロビー等の広い空間でのバックグランド音楽等々、様々な利用シーンに於いて要求される、水平面で無指向性の音響空間と、水平面で有指向性の音響空間を、単一のスピーカユニットの設定を切り替えることで提供する。【解決手段】無指向性特性を得るために機能するアコースティックリフレクタ（音響反射器）の作用の無有を、スピーカユニットの設置状態（方向）で切り換えことで実現する。【選択図】図７
2009213102.tif 000002
【特許請求の範囲】
【請求項１】
スピーカと前記スピーカを取り付けて収納するエンクロージャーから成るスピーカユニット、並びに前記スピーカユニットから放射される音響（音波）を前記スピーカの音軸に対して円周方向へ反射させる概ね円錐形状の音響反射器を備えた音響反射ユニットで構成された音響装置であって、前記音響反射ユニットが前記スピーカユニットの音軸上の前方位置に着脱可能に装着した前記音響装置。
【請求項２】
前記音響装置に含まれた前記スピーカユニットを前記スピーカの音軸方向を垂直方向にして設置する第１の設置手段と、前記スピーカユニットを前記スピーカの音軸方向を水平方向にして設置する第２の設置手段の双方の手段を備えた前記音響装置。
【請求項３】
スピーカと前記スピーカを取り付けて収納するエンクロージャーから成るスピーカユニット、並びに前記スピーカユニットから放射される音響（音波）を前記スピーカの音軸に対して円周方向へ反射させる概ね円錐形状の音響反射器を備えた音響反射ユニット構造体で構成された音響装置であって、前記音響反射器ユニット構造体は前記スピーカユニットの音軸を垂直方向にして前記音響反射器に対向する第１の方向、及び前記スピーカユニットの音軸を水平方向にして前記音響反射器に対向しない第２の方向で、前記スピーカユニットを受入れて設置させるここが出来る構造を備えており、その２つの設置方法で音響的に２つの指向特性を提供出来ることを特徴とする前記音響装置。
【請求項４】
請求項３で記述の音響装置であって、前記第１と、第２の方向で前記スピーカユニットを設置可能にする手段として、前記スピーカユニットに回転手段を備えることで、前記第１の方向へ設定した際は、前記スピーカの音軸を前記音響反射器に近接、対向させ音響反射を作用させ、一方、第２の方向へ設定した際は、前記スピーカの音軸を前記音響反射器から乖離、非対向にして、音響反射を作用させなくすることを可能にすることで、２つの指向特性を簡単に得ることが出来ることを特徴とした音響装置。
【発明の詳細な説明】
【技術分野】本発明は、スピーカを含む音響装置に関するものであって、装備された音響反射器の着脱或いは、乖離・近接とスピーカユニットの設置の方法で、ユーザが目的によって所望する多様な音響空間を生成させることが出来る装置である。
【背景技術】通常の音響装置は、聴取者がスピーカ装置の前方から音楽等を聴取するのが一般的なため、殆どの音響装置は前方の概ね定位置で聴取されることを前提とした音響空間を形成出来る構成並びに構造を有している。しかし、広い空間で聴取者が移動する等で定位置での聴取がなされない、或いは聴取者が多数おり対象者を特定出来ないバックグランドミュージック（背景音楽）等を提供する場合、或いは昨今の５．１ｃｈや７．１ｃｈ等の多次元音響で構成されるホームシアタを含む、音響と映像が融合した環境での利用シーンでは前記の前方から聴取する形態を前提とする音響装置での音響空間の形成では理想的と言い難い場合がある。多様化する映像や音響のメディアや機器に対して個々に整合する装置を追求して個々に装置を購入、設置すると、経費及び設置空間にも問題を生じることなる。
【発明の開示】
【発明が解決しようとする課題】スピーカから放射する音響を、水平面で無指向性する、或いは水平面で有指向性にするかを選択して設定可能にすることで、一般的に要求される前述の主要な２つの音場特性を得るようにする。
【課題を解決するための手段】音響を反射させように作用する音響反射器を機能させる或いは無機能にするために、音源のスピーカユニットに対して、着脱或いは乖離、近接させる第１の手段、並びにスピーカユニットの音軸の方向を選択的に設定可能にする第２手段。  以上の２つの手段を用いることで、前項の課題を解決する。
【発明の効果】多様化するメディア、それに対応する多様化するユーザのニーズからの利用シーン・使用環境が求める望ましい音響空間に対して、本発明の音響機器は一機種で応変に対応でき所望の音響空間を提供出来るため、個々に対応した購入、設置を必要とない。恒久的な無指向型、有指向型の選択的設置はもとより、選択設定が極めて簡便なため一時的に発生する利用シーンに合わせた音響空間つくりが簡単に実施出来る効果を、本発明は持っている。
【発明を実施するための最良の形態】以下、図に示す実施例に基づいて本発明を詳述する。尚、本発明はこれによって限定されるものではない。【００１】請求項１を実現する実施例を以下説明する。図１は本発明の請求項１の係る音響装置１０の斜視図であり、音響反射ユニット１２が、スピーカユニット１１の上面に装着され、本発明に音響機器における特徴的且つ典型的な使用形態を示すものである。図２は実施の詳細を示すものであり、以降の説明の便宜から垂直に音軸が形成された状態で図示されている。スピーカユニット１１はスピーカ振動板部１１２から音響を発するスピーカ本体１１１、前記スピーカ振動部の外部からの損傷防止のためにスピーカグリル１１３、並びに音響特性の向上のためのバックロードポート１１５を有している前記スピーカ本体を取付け収納するエンクロージャー１１４で構成されており、前記エンクロージャ１１４には、床或いは机上へ設置するための第１の脚群、１１６ａ、１１６ｂ、１１６ｃ、１１６ｄを底面に、第２の脚群１１７ａ、１１７ｂ、１１７ｃ、１１７ユニットを背面に各々備えている。一方、音響反射ユニット１２は前記スピーカ１１１から発せられた音響を反射させる概ね円錐形の音響反射器１２１、及び、前記音響反射器１２１を保持し、放射する音響を遮ることなく着脱可能に前記スピーカユニット１１へ取り付けるための取付け支柱部１２２で構成されており、図２のＣ−Ｃ’部のＢ−Ｂ’断面拡大図で示す様に音響反射ユニット１２が安定的に着脱可能な様に係合部材が設けられている。【００２】以下動作を説明する。まず着脱可能な前記音響反射ユニット１２がスピーカユニット１１へ装着され、且つ前記第２の脚群１１６ａ、１１６ｂ、１１６ｃ、１１６ｄ  を使って本発明の音響装置の音軸が垂直に設置された図１に示す第１の設置形態の場合につき説明する。スピーカ本体に印加された音声信号に従ってスピーカ振動板は振動し音響を発し、スピーカの軸上に配置された概ね円錐形の音響反射器の作用で図２（側面図）の２点破線矢印Ｓの方向に反射し、音響反射器を円錐の中心とした円周上の水平面に音波を放散する、この状態は図１０に示す様に、水平面に対して指向性を持たない、いわゆる水平面無指向性の特性を呈する。この第１の設置形態の特性は音響が満遍なく周囲に放散されるために“背景技術”の項で前述のように、ホテルやホールのＢＧＭや、ホームシアタ等の映像機器との組み合わせに、利用する音響機器として有効である。【００３】一方、音楽を鑑賞する等の場合は、図１１に示す様に、従来の一般のスピーカにように、スピーカの音軸を聴取者に向けて、指向性を持たせた音場で聴取するのが好ましい。本発明ではそれを、請求項１で述べる前記音響反射ユニット１２の取り外しと、請求項２で述べる前記スピーカユニット１１の音軸の方向を水平方向へ変えて設置することで実現することを特長としている。即ち、図３で示す様に、前記音響反射ユニット１２を取り外した状態で、前記第２の脚群１１７ａ、１１７ｂ、１１７ｃ、１１７ｄを使って床面や机の上などに設置すれば、前記スピーカユニット１１の音軸は水平となり、且つ前記音響反射器１２１が作用しないため、図１２で示すような一般のスピーカの水���面に於ける指向性を呈することになり、図１１に示す様な音響空間を提供することが実現されることになる。【００４】請求項３に関する実施例を以下に説明する。本請求項での発明は、請求項１及び請求項２で実現した無指向性動作の第１の設置形態と、有指向性の第２の設置形態を、更に簡便に実現する方法に関するものである。図４、５、６で実施例の詳細を説明する。スピーカユニット２１は請求項１及び請求項２で記述の前記スピーカユニット１１に対して脚の群を除き同一構成、同一内容のものである。前記スピーカユニット２１から放射される音響（音波）を円周方向へ反射させる音響反射器を備えた音響反射ユニット構造体２２は、前記スピーカユニット２１を垂直方向に向け音軸を音響反射器１２１に対向する位置に載置する図６で示す第１の載置、及びスピーカの音軸を水平方向且つ音響反射器から乖離する位置に載置する図５で示す第２の載置の双方の載置方法が受入れ可能なスピーカユニット載置部２２１を備えている。今図４で示されている状態は前述の第２の設置形態である、即ち、スピーカユニット２１の音軸は水平方向に向いており、スピーカユニット２１の前記スピーカ振動板と前記音響反射器の位置関係は図５での断面図で示されるように、対向状態でなく、一般のスピーカユニットと同様に有指向性を呈する。一方図６で示すスピーカユニット２１の開口部の裏側面（図示でのＢ面）を下にしてスピーカユニット載置部２２１に載置することで、スピーカユニット２１の前記スピーカ振動板と前記音響反射器の位置関係は図６での断面図で示されるよう対向状態になり、前記音響反射板１２１が作用し、図１０で示すような水平面で指向性を持たない水平面無指向性を呈する。以上の様に単にスピーカ載置部２２１に置かれたスピーカユニット２１を置き換えるだけで、水平面で無指向性形と有指向性形の双方のスピーカ特性を実現出来る。【００５】請求項４に於いては、前記請求項３では前記スピーカユニット２１の前記スピーカユニット載置部２２１への載置方法で、無指向性と有指向性の切換えを行ったのに対し、更に操作性を向上させるべく、スピーカユニット２１を回転させることで実現したものである。以下、実施例に沿って説明を行う。図７は請求項４に係る音響装置の斜視図である。構成的には請求項３での前記スピーカユニット２１に回転軸を付加したスピーカユニット３１と、請求項３での前記音響反射ユニット構造体２２が有していたスピーカユニット載置部２２１の代わり前記スピーカユニット３１の回転軸を保持する軸受を備えた音響反射ユニット構造体３２で構成されており、動作的には図７で示す組立図上の旋回部材１４１の回転軸Ａを中心として前記スピーカユニット３１が矢印で示す旋回動を可能する様になっており、ユーザは前記スピーカユニット３１を回転させることで、図８及び図９の断面図で示す様に前記スピーカユニット３１を設定することが極めて簡単に出来るので、水平面無指向性の音響空間と、水平面有指向性の音響空間との簡単に切換えや設定が実現可能である。尚、本実施例では内部構造の説明は省略されているが、スピーカユニットを第１の設置位置と第２の設置位置とに、確実且つ安定的に係止するロック機構１４２が図示���位置に装備されており、無指向性と有指向性の切換えが、たとえ音楽の聴取中、または、映像メディアを観覧中でも、即座の対応出来ることを特徴としている。
【図面の簡単な説明】
【図１】本発明に係る、簡単な実施・構成例の図面
【図２】本発明に係る音響機器の、構成実施例と動作、作用の詳細を説明する図面
【図３】本発明に係る音響機器の、第２の設置法の説明図
【図４】本発明の請求項３に係る説明図
【図５】上記図４に対する動作説明図（その１）
【図６】上記図４に対する動作説明図（その２）
【図７】本発明の請求項３に係る説明図
【図８】上記図７に対する動作説明図（その１）
【図９】上記図７に対する動作説明図（その２）
【図１０】本発明の音響装置の水平面での無指向性を示す音圧チャート
【図１１】一般的な、音楽鑑賞、映像鑑賞の場面での音響空間
【図１２】通常にスピーカが呈する、水平面での指向特性を示す音圧チャート
【図１】
2009213102.tif 000003
【図２】
2009213102.tif 000004
【図３】
2009213102.tif 000005
【図４】
2009213102.tif 000006
【図５】
2009213102.tif 000007
【図６】
2009213102.tif 000008
【図７】
2009213102.tif 000009
【図８】
2009213102.tif 000010
【図９】
2009213102.tif 000011
【図１０】
2009213102.tif 000012
【図１１】
2009213102.tif 000013
【図１２】
2009213102.tif 000014